(57)【特許請求の範囲】
【請求項１】
履物に内蔵又は装着された履物内蔵・装着型防犯装置であって、
痴漢や暴漢から襲われる危険が発生したときに防犯用の警報音を発するための警報音発生部と、
ユーザーの足から履物が脱げ落ちたことを検出する検出部と、
この検出部からの出力に基づいて前記警報音発生部から警報音を発生させるようにする切換部とを備えた
ことを特徴とする履物内蔵・装着型防犯装置。
【請求項２】
ユーザーが引っ張ることにより取り外すことができる着脱用器具と、
この着脱用器具が取り外されたときに前記警報音発生部から警報音を発生させるようにする切換部とを含む
ことを特徴とする請求項１に記載の履物内蔵・装着型防犯装置。
【請求項３】
前記着脱用器具には、ユーザーが引っ張ることができる紐部が連結されている
ことを特徴とする請求項２に記載の履物内蔵・装着型防犯装置。
【発明の詳細な説明】
【０００１】
【発明の属する技術分野】
本発明は、夜間の戸外などにおいて、痴漢や暴行などの危険が発生したときに警報音を発することにより防犯機能を果たすことができる履物に関する。
【０００２】
【従来の技術】
従来より、夜道などでの痴漢や強盗などから身を守るための防犯ブザーが市販されている。この防犯ブザーは、掌に載る小型サイズのもので、通常は被服のポケットやバッグなどに入れて携帯することを予定している。
【０００３】
【発明が解決しようとする課題】
しかしながら、従来の防犯ブザーは、前述のように、被服のポケットやバッグに入れて携帯することを予定しているため、夜道で不意に暴漢に襲われるなどの緊急な場合には、いちいちポケットやバッグから防犯ブザーを取り出す暇がなく、結局「いざ」というときには役に立たないという問題がある。そのため、危ない夜道を歩くときは、予め防犯ブザーをポケットやバッグから取り出して手で持っておくことが推奨されている。しかしながら、夜道にいちいちバッグ等から取り出して防犯ブザーを手に持つようにするのは煩雑であるし、荷物を両手に持っている場合などは実際上困難だという問題がある。
【０００４】
本発明はこのような従来技術の課題に着目してなされたものであって、夜道などでいちいち防犯ブザーを手に持つ必要がなく、また夜道などで不意に痴漢や暴漢に襲われるなどの緊急な場合でも素早く容易に対処することができる履物内蔵・装着型防犯装置を提供することを目的とする。
【０００５】
【課題を解決するための手段】
以上のような課題を解決するための本発明による防犯装置は、履物に内蔵又は装着された履物内蔵・装着型防犯装置であって、痴漢や暴漢から襲われる危険が発生したときに防犯用の警報音を発するための警報音発生部を備えたことを特徴とするものである。
【０００６】
また、本発明による履物内蔵・装着型防犯装置においては、ユーザーが引っ張ることにより取り外すことができる着脱用器具と、この着脱用器具が取り外されたときに前記警報音発生部から警報音を発生させるようにする切換部とを含むのがよい。
【０００７】
また、本発明による履物内蔵・装着型防犯装置においては、前記着脱用器具には、ユーザーが引っ張ることができる紐部が連結されている、ことが望ましい。
【０００８】
さらに、本発明による履物内蔵・装着型防犯装置においては、ユーザーの足から履物が脱げ落ちたことを検出する検出部と、この検出部からの出力に基づいて前記警報音発生部から警報音を発生させるようにする切換部と、を含むのがよい。
【０００９】
【発明の実施の形態】
実施形態１．
図１（ａ）（ｂ）は本発明の実施形態１を説明するための斜視図である。図１において、１は子供用の運動靴、２はこの運動靴１の脱げ防止用のバンド部である。このバンド部２は、バンド部２の裏面に形成されたマジックテープ（商品名）のＡ面（又はＢ面）３ａと、靴本体側に形成されたマジックテープのＢ面（又はＡ面）３ｂとにより、容易に取り付け・取り外しができるようになっている（図１（ｂ）参照）。また本実施形態では、前記バンド部２の上面側に、防犯ブザー４が装着されている（図１（ａ）参照）。
【００１０】
図２（ａ）（ｂ）はこの防犯ブザー４を拡大して示す斜視図である。この防犯ブザー４は、防水性で、容易に壊れないような剛性の大きい容器に収納されている。また、この防犯ブザー４の中央には、大きな警報音を発生する音響発生部５が備えられている。また、この防犯ブザー４の上方には、紐６に連結された小さいカード状の着脱用器具７が穴８内に挿入されている。
【００１１】
図２（ｂ）に示すように、ユーザーは、前記紐６を引っ張ることにより、容易に前記着脱用器具７を穴８から抜いて取り外すことができるようになっている。また、前記着脱用器具７はプラスチックなどの絶縁体で構成されており、この着脱用器具７が前記穴８から抜かれると、穴８の内部の切換スイッチにより電源と音響発生部５とが電気的に導通され、音響発生部５から大きな音響が発生するようになっている。
【００１２】
なお、図１の例では、バンド部２の上面に接着剤等で防犯ブザー４を装着するようにしているが、本発明では、防犯ブザー４を薄型に構成して前記バンド部２の内部に内蔵するようにしてもよい。また、前記防犯ブザー４を前記バンド部２の上面に装着する場合でも、バンド部２と防犯ブザー４とが調和した一体的なデザインとなるようにすることが望ましい。また、実施形態１では、前記防犯ブザー４をバンド部２に取り付けているが、本発明では、防犯ブザー４を、靴１の本体の側面部（図１（ａ）のＡで示す部分）、靴１の足の甲に対向する部分（図１（ａ）のＢで示す部分）、靴１の足の踵に対向する部分（図１（ａ）のＣで示す部分）、又は、靴１の足の爪先の近傍に対向する部分（図１（ａ）のＤで示す部分）などに、装着又は内蔵させるようにしてもよい。また、前記防犯ブザー４を装着する場合は、靴の製造段階から装着させることが望ましいが、装着用の防犯ブザーを靴とは別に製造して、靴に「後から外付け」するものでもよい。
【００１３】
実施形態２．
図３は本発明の実施形態２を示す概略ブロック図である。本実施形態２においては、ユーザーの足から靴が脱落した（脱げた）かどうかを検出し、靴が脱落したときは、自動的に、防犯ブザーの音響発生部から大きな音響を発生させるようにしている点に特徴がある。
【００１４】
すなわち、本実施形態では、図３に示すように、ユーザーの足から靴が脱落したかどうかを検出するための靴脱落検出部１１を靴に備えている。この靴脱落検出部１１は、例えば、靴底に備えられた圧電素子などから構成される圧力センサ（ユーザーの体重がかかっているか否かを検出する）や、靴の内側の側面や底面に備えられた光センサ（ユーザーの足が靴の中に入っているか否かを光の放出とその反射光の検出とにより判定できる）などにより、容易に実現できる。そして、本実施形態２では、この靴脱落検出部１１により靴がユーザーの足から脱げ落ちたことが検出されたときは、そのことを示す信号がマイクロコンピュータなどで構成される制御部１２に出力され、制御部１２では、この出力に基づいて、切換スイッチなどを制御して、音響発生部１３から防犯用の音響を、自動的に（ユーザーの操作を必要としないで）、発生させるようにしている。
【００１５】
【発明の効果】
以上に述べたように、本発明によれば、靴などの履物に、痴漢や暴漢から襲われる危険が発生したときに防犯用の警報音を発するための警報音発生部を装着又は内蔵させているので、夜道などでいちいち防犯ブザーを手に持っておく必要がなく、また夜道などで不意に痴漢や暴漢に襲われるなどの緊急な場合でも素早く容易に対処することができる防犯装置を実現できるようになる（靴などの履物であれば、防犯用の音響発生のための操作部が常に外部に露出しているため、バッグやポケットの内部に収容している場合などと比較して、ユーザーは、極めて素早く且つ容易に音響発生のための操作を行うことができるようになるため）。
【００１６】
また、本発明ににおいて、ユーザーが引っ張ることにより取り外すことができる着脱用器具と、この着脱用器具が取り外されたときに前記警報音発生部から警報音を発生させるようにする切換部とを含むようにしたときは、ユーザーは、夜間などでも、前記着脱用器具を取り外すという極めて簡単な操作を行うだけで、素早く容易に防犯用の音響を発生させることができるようになる。
【００１７】
また、本発明において、前記着脱用器具に、ユーザーが引っ張ることにより前記着脱用器具を取り外すことができる紐部を連結するようにすれば、ユーザーは、この紐部を引っ張るだけで容易に防犯用の音響を発生させられるので、防犯用音響の発生のための操作が一層容易に且つ素早くできるようになる。
【００１８】
さらに、本発明において、ユーザーの足から履物が脱がされたことを検出する検出部と、この検出部からの出力に基づいて前記警報音発生部から警報音を発生させるようにする切換部とを備えるようにすれば、夜間に暴行などの被害に遭遇して靴が脱げ落ちたときは、ユーザーが特に自分で操作をしなくても、自動的に防犯用の大きな音が鳴り響くことになるので、防犯効果をより高めることができる。
【図面の簡単な説明】
【図１】  本発明の実施形態１を説明するための斜視図である。
【図２】  本発明の実施形態１の防犯ブザーの構成を説明するための図である。
【図３】  本発明の実施形態２を説明するためのブロック図である。
【符号の説明】
１  靴
２  バンド部
３ａ，３ｂ  マジックテープ
４  防犯ブザー
５，１３  音響発生部
６  紐
７  着脱用器具
８  穴
１１  靴脱落検出部
１２  制御部
【図１】
0003902324.tif 000002
【図２】
0003902324.tif 000003
【図３】
0003902324.tif 000004